(57)【要約】【課題】省エネルギーモードから復帰したときの応答速度を向上させた画像読取装置、画像形成装置、画像読取方法、及び画像読取プログラムを提供する。【解決手段】メインコントローラ２０から省エネルギーモードへの移行を要求された読み取りユニット５０は、走行体６１を白基準板ｂの位置に移動させる。走行体６１の白基準板ｂの位置への移動が完了すると、読み取りユニット５０は省エネルギーモードへの移行準備ができたことをメインコントローラ２０へ通知する。読み取りユニット５０から省エネルギーモードへの移行準備ができた旨の通知を受けたメインコントローラ２０は、読み取りユニット５０への電力の供給を停止する。そして、省エネルギーモードから復帰するとき、直ちにＡＧＣ処理（白レベル補正および黒レベル補正）を実行することにより、省エネルギーモードからの復帰に要する時間を短縮できる。【選択図】図１
2007142759.tif 000002
【特許請求の範囲】
【請求項１】
画像読取手段によって白基準板を読み取らせ、その読み取り値に対応するパラメータを設定する白レベル補正手段と、原稿を照明する光源を搭載し、原稿に対して副走査方向に移動可能なキャリッジとを有する画像読取装置において、
省エネルギーモードに移行するとき、前記キャリッジを前記白基準板の位置に移動させた後に前記省エネルギーモードに移行することを特徴とする画像読取装置。
【請求項２】
前記省エネルギーモードから復帰するとき、
前記キャリッジを移動させずに前記白基準板を読み取り、
前記白レベル補正手段は、読み取られた値に対応するパラメータを設定することを特徴とする請求項１記載の画像読取装置。
【請求項３】
前記白レベル補正手段によって設定された前記パラメータに異常があったとき、
前記キャリッジを所定位置に移動させた後、前記キャリッジを前記白基準板の位置に移動させて前記白基準板を読み取り、
前記白レベル補正手段は、該読み取られた値に対応するパラメータを新たに設定することを特徴とする請求項２記載の画像読取装置。
【請求項４】
前記所定位置が原稿読取開始位置又はゴミ避け位置であることを特徴とする請求項３記載の画像読取装置。
【請求項５】
請求項１から４のいずれか１項記載の画像読取装置を有することを特徴とする画像形成装置。
【請求項６】
画像読取手段によって白基準板を読み取らせ、その読み取り値に対応するパラメータを設定する白レベル補正手段と、原稿を照明する光源を搭載し、原稿に対して副走査方向に移動可能なキャリッジとを有する画像読取装置の画像読取方法において、
省エネルギーモードに移行するとき、前記キャリッジを前記白基準板の位置に移動させた後に前記省エネルギーモードに移行する工程を有することを特徴とする画像読取方法。
【請求項７】
前記省エネルギーモードから復帰するとき、
前記キャリッジを移動させずに前記白基準板を読み取る工程と、
前記白レベル補正手段により読み取られた値に対応するパラメータを設定する工程とを有することを特徴とする請求項６記載の画像読取方法。
【請求項８】
前記白レベル補正手段によって設定された前記パラメータに異常があったとき、
前記キャリッジを所定位置に移動させた後、前記キャリッジを前記白基準板の位置に移動させて前記白基準板を読み取る工程と、
前記白レベル補正手段が該読み取られた値に対応するパラメータを新たに設定する工程とを有することを特徴とする請求項７記載の画像読取方法。
【請求項９】
画像読取手段によって白基準板を読み取らせ、その読み取り値に対応するパラメータを設定する白レベル補正手段と、原稿を照明する光源を搭載し、原稿に対して副走査方向に移動可能なキャリッジとを有する画像読取装置の画像読取プログラムにおいて、
省エネルギーモードに移行するとき、前記キャリッジを前記白基準板の位置に移動させた後に前記省エネルギーモードに移行する処理を有することを特徴とする画像読取プログラム。
【発明の詳細な説明】
【技術分野】
【０００１】
本発明は、画像読取装置、画像形成装置、画像読取方法、及び画像読取プログラムに関し、特に、省エネルギーモードから復帰したときの応答速度を向上させた画像読取装置、画像形成装置、画像読取方法、及び画像読取プログラムに関する。
【背景技術】
【０００２】
一般に利用されている印刷機、複写機、プリンタ、ファクシミリなどの画像形成装置は、近年、画像の再現性、安定性等の理由から、オフィス、或いは、家庭等で普及しつつある。一方、この種の画像形成装置は、利用形態が製品の持つ性格上、電源を投入した状態で稼働しているのが通常であり、エネルギー消費の削減よりも、利便性を向上させることを図っていた。しかし、エネルギー消費の課題が顕在化した今日では、エネルギー消費量で低減、あるいは温暖化に影響する化石燃料等の枯渇資源エネルギー源の使用抑制が求められている。
【０００３】
特許文献１では、画像形成処理のアプリケーションの拡張形態に応じて操作表示部を異なるＣＰＵで制御する画像形成装置において、操作表示部に電力を供給して立ち上げるときに、操作表示部を制御する複数のＣＰＵのなかでイニシャル動作時間が短い方のＣＰＵにより操作表示部を制御することにより省エネルギーモードから復帰したときの応答速度を向上させた画像形成装置、及びその操作表示部の駆動方法が提案されている。
【０００４】
特許文献２では、原稿を照明する光源と、該光源で照明された原稿からの反射光を導くミラーとを搭載した原稿の走査方向に移動可能なキャリッジと、該キャリッジのホームポジションを検出するためのセンサと、ミラーからの反射光から原稿の画像を読み取るラインセンサとを有する画像読取装置及び画像形成装置において、ホーミング処理を行うことによってキャリッジの位置合わせを行うにあたり、プレスキャンを行うモードか否かをチェックし、プレスキャンの場合には、センサがキャリッジを検出したときには、ホーミング動作を行わないことにより、素早い立ち上がりを得ることができる画像読取装置、及び画像形成装置を提案されている。
【０００５】
特許文献３では、省エネルギーモードに移行可能な画像処理装置において、装置全体の統括制御を行うＣＰＵと、省エネルギーモードから通常動作モードに復帰させる機能を有し、ＣＰＵよりも消費電力の小さい省エネ制御部と、省エネルギーモードからの復帰トリガを検出する検出手段とを有し、省エネルギーモードに移行した場合に、省エネ制御部と検出手段にのみ給電することにより、省電力モードでの消費電力を低減し、また省電力モードから通常動作モードへの復帰も短時間に行うことができる画像処理装置が提案されている。
【０００６】
特許文献４では、原稿画像をＣＣＤ及び移動機構に載置された光学系からなる読取部で光電変換し、光電変換した画像信号の黒レベル及び白レベル等の画像読取条件を設定可能にした画像読取装置において、省エネモードへの移行時、画像読取条件を設定する手段と、設定した画像読取条件を保存する手段を有し、省エネモードからの復帰時、保存した画像読取条件を設定して画像読み取りを行うことにより、省エネモードからの復帰時に画像読取条件の調整を行わずに復帰時間を短縮することができる画像読取装置が提案されている。
【０００７】
特許文献５では、リロード直後の通紙開始時の定着温度によりＣＰＭダウン制御が開始する通紙枚数を変更する制御を行うことにより、リロード直後の制御誤差がなく、定着品質の向上を図った定着装置が提案されている。
【特許文献１】特開２００４−３４３３９４号公報
【特許文献２】特開２００４−２４６２９８号公報
【特許文献３】特開２００４−１１２７１８号公報
【特許文献４】特開２００３−２１９１２７号公報
【特許文献５】特開２００１−２６５１６１号公報
【発明の開示】
【発明が解決しようとする課題】
【０００８】
しかし、上記の発明は以下の問題を有している。
【０００９】
従来の画像形成装置においては、省エネルギーモードへ移行する際、原稿を走査する走行体がホームポジションに移動された状態において、省エネルギーモードへ移行する。そのため、省エネルギーモードから復帰する際に、ＡＧＣ処理を行うために走行体を白基準板が設置された位置に移動しなければならず、その移動時間により復帰に要する時間が長くなっていた。
【００１０】
そこで、本発明は、省エネルギーモードへの移行を要求された読み取りユニットは、走行体を白基準板の位置に移動させ、走行体の白基準板の位置への移動が完了すると、省エネルギーモードへ移行し、省エネルギーモードから復帰するとき、直ちにＡＧＣ処理（白レベル補正および黒レベル補正）を実行することにより、省エネルギーモードからの復帰に要する時間を短縮した画像読取装置、画像形成装置、画像読取方法、及び画像読取プログラムを提案することを目的としている。
【課題を解決するための手段】
【００１１】
請求項１記載の発明は、画像読取手段によって白基準板を読み取らせ、その読み取り値に対応するパラメータを設定する白レベル補正手段と、原稿を照明する光源を搭載し、原稿に対して副走査方向に移動可能なキャリッジとを有する画像読取装置において、省エネルギーモードに移行するとき、前記キャリッジを前記白基準板の位置に移動させた後に前記省エネルギーモードに移行することを特徴とする。
【００１２】
請求項２記載の発明は、請求項１記載の画像読取装置において、前記省エネルギーモードから復帰するとき、前記キャリッジを移動させずに前記白基準板を読み取り、前記白レベル補正手段は、読み取られた値に対応するパラメータを設定することを特徴とする。
【００１３】
請求項３記載の発明は、請求項２記載の画像読取装置において、前記白レベル補正手段によって設定された前記パラメータに異常があったとき、前記キャリッジを所定位置に移動させた後、前記キャリッジを前記白基準板の位置に移動させて前記白基準板を読み取り、前記白レベル補正手段は、該読み取られた値に対応するパラメータを新たに設定することを特徴とする。
【００１４】
請求項４記載の発明は、請求項３記載の画像読取装置において、前記所定位置が原稿読取開始位置又はゴミ避け位置であることを特徴とする。
【００１５】
請求項５記載の画像形成装置は、請求項１から４のいずれか１項記載の画像読取装置を有することを特徴とする。
【００１６】
請求項６記載の発明は、画像読取手段によって白基準板を読み取らせ、その読み取り値に対応するパラメータを設定する白レベル補正手段と、原稿を照明する光源を搭載し、原稿に対して副走査方向に移動可能なキャリッジとを有する画像読取装置の画像読取方法において、省エネルギーモードに移行するとき、前記キャリッジを前記白基準板の位置に移動させた後に前記省エネルギーモードに移行する工程を有することを特徴とする。
【００１７】
請求項７記載の発明は、請求項６記載の画像読取方法において、前記省エネルギーモードから復帰するとき、前記キャリッジを移動させずに前記白基準板を読み取る工程と、前記白レベル補正手段により読み取られた値に対応するパラメータを設定する工程とを有することを特徴とする。
【００１８】
請求項８記載の発明は、請求項７記載の画像読取方法において、前記白レベル補正手段によって設定された前記パラメータに異常があったとき、前記キャリッジを所定位置に移動させた後、前記キャリッジを前記白基準板の位置に移動させて前記白基準板を読み取る工程と、前記白レベル補正手段が該読み取られた値に対応するパラメータを新たに設定する工程とを有することを特徴とする。
【００１９】
請求項９記載の発明は、画像読取手段によって白基準板を読み取らせ、その読み取り値に対応するパラメータを設定する白レベル補正手段と、原稿を照明する光源を搭載し、原稿に対して副走査方向に移動可能なキャリッジとを有する画像読取装置の画像読取プログラムにおいて、省エネルギーモードに移行するとき、前記キャリッジを前記白基準板の位置に移動させた後に前記省エネルギーモードに移行する処理を有することを特徴とする。
【発明の効果】
【００２０】
本発明は、省エネルギーモードへの移行を要求された読み取りユニットは、走行体を白基準板の位置に移動させ、走行体の白基準板の位置への移動が完了すると、省エネルギーモードへ移行し、省エネルギーモードから復帰するとき、直ちにＡＧＣ処理（白レベル補正および黒レベル補正）を実行することにより、省エネルギーモードからの復帰に要する時間を短縮できる。
【発明を実施するための最良の形態】
【００２１】
以下、本発明の一実施形態に係わる画像形成装置ついて説明する。
【００２２】
まず、図１を用い本実施形態に係る画像形成装置の構成について説明する。
【００２３】
本実施形態に係る画像形成装置は、自動原稿送り装置（以下、ＡＤＦとする）１、原稿台２、給送ローラ３、給送ローラ４、排送ローラ５、コンタクトガラス６、原稿セット検知７、第１トレイ８、第２トレイ９、第３トレイ１０、第１給紙ユニット１１、第２給紙ユニット１２、第３給紙ユニット１３、縦搬送ユニット１４、感光体１５、搬送ベルト１６、定着ユニット１７、排紙ユニット１８、排紙トレイ１９、読み取りユニット５０、露光ランプ５１、第１ミラー５２、レンズ５３、ＣＣＤイメージセンサ５４、第２ミラー５５、第３ミラー５６、書き込みユニット５７、レーザ出力ユニット５８、結像レンズ５９、ミラー６０、走行体６１、両面搬送ユニット１１１、反転ユニット１１２、両面入紙搬送路１１３、及び反転排紙搬送路１１４を有して構成される。
【００２４】
本実施形態に係る画像形成装置の具体的な動作について説明する。
【００２５】
ＡＤＦ１の原稿台２に原稿の画像面を上にして置かれた原稿束は、図２に示す操作部３０上のスタートキー３４が押下されると、一番下の原稿から給送ローラ４によって読み取り位置に給送される。なお、本実施形態に係る画像形成装置は、一枚の原稿を給送完了により原稿枚数をカウントアップするカウント機能を有している。給送された原稿は、読み取り位置に搬送され、読み取りユニット５０によって原稿の画像データが読み取られる。本実施形態に係る画像読取装置は、読み取りユニット５０の読み取り位置にゴミが付着し、読み取り位置を変更した場合に発生する画質の低下を補正することができる。
【００２６】
読み取りが終了した原稿は、給送ローラ４及び排送ローラ５によって排出される。さらに、原稿セット検知７にて原稿台２に次の原稿が有ることを検知した場合、前原稿と同様に読み取り位置に給送される。給送ローラ（３、４）、排送ローラ５は搬送モータ２６によって駆動される。
【００２７】
第１トレイ８、第２トレイ９、第３トレイ１０に積載された転写紙は、各々第１給紙ユニット１１、第２給紙ユニット１２、第３給紙ユニット１３によって給紙され、縦搬送ユニット１４によって感光体１５に当接する位置まで搬送される。読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送され、感光体１５上のトナー像が転写される。その後、定着ユニット１７にて画像を定着させ、排紙ユニット１８によって排紙トレイ１９に排出される。
【００２８】
転写紙の両面に画像を作像する場合は、各給紙トレイ８〜１０から給紙され作像された転写紙を排紙トレイ１９側に導かないで、両面入紙搬送路１１３に搬送し、反転ユニット１１２でスイッチバック反転し両面搬送ユニット１１１に送る。両面搬送ユニットに送られた用紙は、再度縦搬送ユニット１４に送られて裏面に画像を印刷された後に排紙される。また、転写紙を反転して排出する場合、上記の反転ユニット１１２でスイッチバック反転した用紙を両面ユニットに送らずに反転排紙搬送路１１４に送り出して排紙する。
【００２９】
感光体１５、搬送ベルト１６、定着ユニット１７、排紙ユニット１８、及び現像ユニット２７は、メインモータ２５によって駆動される。各給紙装置１１〜１３は、メインモータ２５の駆動を各々給紙クラッチ２２〜２４によって伝達駆動される。縦搬送ユニット１４はメインモータ２５の駆動を中間クラッチ２１によって伝達駆動される。
【００３０】
次に、原稿読み取りから、画像の書き込みまでの動作について説明する。
【００３１】
読み取りユニット５０は、原稿を載置するコンタクトガラス６と光学走査系で構成されている。光学走査系は、露光ランプ５１、第１ミラー５２、レンズ５３、ＣＣＤイメージセンサ５４等々で構成される。露光ランプ５１は、走行体６１上に固定されている。第１ミラー５２は、第１キャリッジ上に固定され、第２ミラー５５及び第３ミラー５６は第２キャリッジ上に固定されている。原稿像を読み取るときは、光路長が変わらないように、走行体６１、第１キャリッジ、及び第２キャリッジが機械的に操作される。この光学走査系は、スキャナ駆動モータにて駆動される。原稿画像は、ＣＣＤイメージセンサ５４によって読み取られ、電気信号に変換されて処理される。
【００３２】
書き込みユニット５７は、レーザ出力ユニット５８、結像レンズ５９、及びミラー６０で構成される。レーザ出力ユニット５８の内部には、レーザ光源であるレーザダイオード及びモータによって高速で定速回転する多角形ミラー（ポリゴンミラー）が備わっている。
【００３３】
書き込みユニット５７から出力されるレーザ光が画像作像系の感光体１５に照射される。なお、感光体１５の一端近傍のレーザビームを照射される位置に、主走査同期信号を発生するビームセンサが配置されている。
【００３４】
図３は、操作部３０の液晶タッチパネル３１の表示例である。
【００３５】
オペレータが液晶タッチパネル３１に表示されたキーにタッチすることにより、選択された機能を示すキーが黒く反転する。また、機能の詳細を指定する場合（例えば、変倍であれは変倍値等）は、キーにタッチすることにより、詳細機能の設定画面が表示される。このように、液晶タッチパネルは、ドット表示器を使用している為、その時の最適な表示をグラフィカルに行うことが可能である。
【００３６】
次に、本実施形態に係る画像形成装置のメインコントローラを中心とした制御装置の構成について図４を用いて説明する。
【００３７】
メインコントローラ２０は、画像形成装置全体を制御する。メインコントローラ２０には、オペレータに対する表示とオペレータからの機能設定入力制御とを行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１、等の分散制御装置が接続されている。
【００３８】
また、メインコントローラ２０には、複数の画像形成装置に接続して装置の構成及び機能情報、動作制御に関する情報の送受信を行う連結Ｉ／Ｆ４８が接続されている。メインコントローラ２０は、連結Ｉ／Ｆ４８を介して接続された画像形成装置の情報を獲得し、動作を設定することにより連結動作の制御を行う、もしくは接続された他の画像形成装置からの要求を獲得し自機の動作を制御する。
【００３９】
各分散制御装置とメインコントローラ２０は必要に応じて機械の状態、動作司令のやりとりを行う。また、紙搬送等に必要なメインモータ２５、各種クラッチ２１〜２４も接続されている。
【００４０】
次に、画象処理ユニット（ＩＰＵ）４９の構成及び動作について図５を用いて説明する。
【００４１】
画像処理ユニット４９は、ＣＣＤ５４、Ａ／Ｄコンバータ６１、シェーディング補正部６２、画像処理部６３、変倍処理部７２、セレクタ６４、書き込みγ補正部７１、書き込みユニット５７、ＣＰＵ６８、ＲＯＭ６９、ＲＡＭ７０、メモリコントローラ６５、色変換処理部１００、Ｉ／Ｏポート６７、画像メモリ６６、連結Ｉ／Ｆ４８、及び画像データ７３を有して構成される。
【００４２】
まず、露光ランプ５１から照射された光の反射をＣＣＤイメージセンサ５４が光電変換し、Ａ／Ｄコンバータ６１にてデジタル信号に変換する。デジタル信号に変換された画像信号は、シェーディング補正部６２にてシェーディング補正がなされた後、画像処理部６３にてＭＴＦ補正、γ補正等がなされる。変倍部７２を経由した画像信号は、変倍率に応じて拡大縮小され、セレクタ６４に転送される。セレクタ６４では、画像信号の送り先を、書き込みγ補正部７１または、画像メモリコントローラ６５への切り替えが行われる。書き込みγ補正ユニット７１を経由した画像信号は、作像条件に合わせて書き込みγが補正され、書き込みユニット５７に送られる。
【００４３】
画像メモリコントローラ６５とセレクタ６４間は、双方向に画像信号が入出力可能な構成となっている。また、画像メモリコントローラ６５等への設定や、書き込み部５７の制御を行うＣＰＵ６８、及びそのプログラムやデータを格納するＲＯＭ６９、ＲＡＭ７０を備えている。更にＣＰＵ６８は、メモリコントローラ６５を介して、画像メモリ６６のデータの書き込み、読み出しが行える。
【００４４】
連結Ｉ／Ｆ４８は、画像情報の送受信のため、メモリコントローラのデータバスに接続され、データの入出力が可能である。画像形成装置間のデータ転送速度に応じて、画像情報は画像メモリ６６を介して転送される。すなわち、画像出力時にはメモリコントローラ６５から画素メモリ６６に画像データを格納した後、画像形成装置間のデータ転送速度に応じて順次画像メモリ６６からデータを読み出して、連結Ｉ／Ｆ４８にデータを転送する。画像出力時には連結Ｉ／Ｆ４８より転送される画像データを画像メモリ６６に格納した後、画像メモリ６６からメモリコントローラ６５を介して装置内部で画像データの処理を行う。上述の構成により、画像形成装置の機能の制約を受けることなく連結動作の実現が可能となる。
【００４５】
原稿画像で画像メモリコントローラ６５へ送られた画像は、画像メモリコントローラ６５内にある画像圧縮装置によって画像データを圧縮した後、画像メモリ６６に送られる。画像圧縮するのは、最大画像サイズ分の２５６階調のデータをそのまま画像メモリ６６に書き込むことも可能だが、１枚の原稿画像で画像メモリを大変多く使用する。そこで、画像圧縮を行うことにより、限られた画像メモリ６６を有効に利用できる。また、画像圧縮することにより、一度に多くの原稿画像データを記憶することが出来るため、ソート機能として、貯えられた原稿画像イメージデータをページ順に出力できる。この場合、画像を出力する際に画像メモリ６６のデータをメモリコントローラ６５内の伸長装置で順次伸長しながら出力する。本機能は、一般に「電子ソート」と呼ばれている。
【００４６】
また、画像メモリの機能を利用し、複数枚の原稿画像を画像メモリ６６の転写紙一枚分のエリアに分割したエリアに順次読み込むこともできる。例えば、４枚の原稿画像を画像メモリ６６の転写紙一枚分の４等分されたエリアに順次書き込むことにより、４枚の原稿が一枚の転写紙イメージに合成され集約された出力を得ることができる。本機能は、一般に「集約コピー」と呼ばれている。
【００４７】
画像メモリ６６の画像は、ＣＰＵ６８からアクセス可能な構成となっている。このため画像メモリ６６の内容を加工することが可能である。例えば、画像の間引き処理、画像の切り出し処理等が行える。加工には、メモリコントローラ６５のレジスタにデータを書き込むことにより、画像メモリ６６の処理を行うことができる。加工された画像は、再度、画像メモリ６６に保持される。
【００４８】
また、画像メモリ６６の内容をＣＰＵ６８が読み出し、Ｉ／Ｏポート６７を経て、画像データ７３として操作部３０に転送することができる。一般に、操作部３０の画面表示解像度は低い為、画像メモリ６６の原画像は画像間引きが行われ操作部３０に送られる。画像メモリ６６は、多くの画像データを収納するため、ハードディスクが用いることもできる。ハードディスクを用いることにより、外部電源が不用で永久的に画像を保持できる。なお、複数の定型の原稿（フォーマット原稿）をスキャナで読み込み保持するためには、このハードディスクを用いるのが一般的である。
【００４９】
ここで、本実施形態に係わる画像形成装置が省エネルギーモードに移行するとき、及び省エネルギーモードから復帰するときの動作について図６を用いて説明する。省エネルギーモードとは、画像形成装置の消費電力を低減するための機能である。具体的には、一定時間、画像形成装置を操作しなかった場合に、ディスプレイやハードディスクへの給電を停止したり、ＣＰＵの動作速度を落としたりする。
【００５０】
本実施形態に係わる画像形成装置においては、省エネルギーモードへ移行すると、メインコントローラ２０に接続された制御装置の電源がＯＦＦされる。メインコントローラ２０から各制御装置に対して省エネルギーモードへの移行を指示され、各制御装置が省エネルギーモードへの移行を実行する。
【００５１】
また、省エネルギーモードへ移行するとき、メインコントローラ２０は読み取りユニット５０を制御して以下の動作を実行する。メインコントローラ２０から省エネルギーモードへ移行する指示を受けた読み取りユニット５０は、走行体６１を白基準板ｂの位置に移動させて、そのまま省エネルギーモードへ遷移する。
【００５２】
省エネルギーモードから復帰するときは、メインコントローラ２０が読み取りユニット５０に対して省エネルギーモードからの復帰を指示する。省エネルギーモードからの復帰の指示を受けた読み取りユニット５０は、直ちにＡＧＣ処理（白レベル補正および黒レベル補正）を実行する。従来の画像形成装置においては、省エネルギーモードに移行するとき、走行体６１をホームポジション（ゴミよけ位置）ｃに移動させた後に読み取りユニット５０の電源をＯＦＦしていた。そのため、画像形成装置が省エネルギーモードから復帰するとき、読み取りユニット５０は走行体６１を白基準板ｂの位置に移動させた後にＡＧＣ処理を行わなければならなかった。一方、本実施形態に係わる画像形成装置においては、省エネルギーモードから復帰する際に走行体６１を移動させず、直ちにＡＧＣ処理を実行することができるため、省エネルギーモードからの復帰に要する時間を短縮できる。
【００５３】
省エネルギーモードから復帰してＡＧＣ処理が行われ、その結果が正常な場合は、走行体６１は、ＤＦ原稿読み取り位置ａ又はゴミ避け位置ｃに移動して、メインコントローラ２０からの原稿読み取りの指示を待って待機する。
【００５４】
一方、ＡＧＣ処理の結果に異常があった場合は、走行体６１を一旦ＤＦ原稿読み取り位置ａ又はゴミ避け位置ｃに移動させた後、再び、白基準板ｂの位置に移動させてＡＧＣ処理を実行する。本動作によれば、画像形成装置が省エネルギーモードに移行する際に、走行体６１が白基準板ｂの位置において停止されずに読み取りユニット５０の電源がＯＦＦされた場合であっても、ＡＧＣ処理の結果に基づいて異常を検出し、走行体６１の位置を修正し、正しい位置においてＡＧＣ処理を実行することができる。
【００５５】
次に、読み取りユニット５０を省エネルギーモードへ移行させる処理の手順について図７を用いて説明する。
【００５６】
まず、画像形成装置が待機状態にあるとき、メインコントローラ２０は操作部３０からの画像形成動作の実行指示等を待って待機する（ステップＳ７０１）。そして、ユーザが操作部３０を介して省エネルギーモードへ移行をメインコントローラ２０へ要求した場合、ユーザが操作部３０を所定時間、操作しなかった場合等（以下、省エネルギーモード移行イベントとする）（ステップＳ７０１／ＹＥＳ）、メインコントローラ２０は制御装置等に省エネルギーモードへの移行を要求する（ステップＳ７０２）。
【００５７】
メインコントローラ２０から省エネルギーモードへの移行を要求された読み取りユニット５０は（ステップＳ７０２）、走行体６１を白基準板ｂの位置に移動させる（ステップＳ７０３）。走行体６１の白基準板ｂの位置への移動が完了すると（ステップＳ７０４／ＹＥＳ）、読み取りユニット５０は省エネルギーモードへの移行準備ができたことをメインコントローラ２０へ通知する（ステップＳ７０５）。
【００５８】
読み取りユニット５０から省エネルギーモードへの移行準備ができた旨の通知を受けたメインコントローラ２０は、読み取りユニット５０への電力の供給を停止する（ステップＳ７０６）。
【００５９】
次に、読み取りユニット５０を省エネルギーモードから復帰させる処理の手順について図８を用いて説明する。
【００６０】
画像形成装置が省エネルギーモードにあるとき、メインコントローラ２０は、操作部３０からの省エネルギーモードから復帰を要求する指示（以下、省エネルギーモード復帰イベントとする）を待って待機する（ステップＳ８０１）。
【００６１】
省エネルギーモード復帰イベントが発生すると（ステップＳ８０１／ＹＥＳ）、メインコントローラ２０は制御装置等への電力の供給を再開し、各制御装置へ省エネルギーモードからの復帰を要求する（ステップＳ８０２）。
【００６２】
メインコントローラ２０から省エネルギーモードから復帰を要求された読み取りユニット５０は、通常モード（メインコントローラ２０に接続された全ての制御装置等を待機状態にする）による復帰か、又はサイレントモード（例えば、省エネルギーモードから復帰する際に騒音を発生しない操作部３０等のみ待機状態にする）による復帰かを判断する（ステップＳ８０３）。
【００６３】
メインコントローラ２０から要求された省エネルギーモードからの復帰がサイレントモードへの復帰の場合（ステップＳ８０３／ＮＯ）、読み取りユニット５０はＡＧＣ処理等を実行せずに、メインコントローラ２０からの通常モードへの移行を要求する指示を待って待機する。
【００６４】
一方、メインコントローラ２０から要求された省エネルギーモードからの復帰が通常モードへの復帰の場合（ステップＳ８０３／ＹＥＳ）、読み取りユニット５０はＡＧＣ処理を実行する（ステップＳ８０４）。ここで、本実施形態においては、省エネルギーモードへの移行時に走行体６１が既に白基準板ｂの位置に移動されているため、直ちにＡＧＣ処理を実行することができる。そのため、省エネルギーモードからの復帰に要する時間を短縮することができる。ＡＧＣ処理が実行されると（ステップＳ８０４）、メインコントローラ２０はＡＧＣ処理の結果が正常であるか否かを判断する（ステップＳ８０５）。
【００６５】
ＡＧＣ処理の結果に異常が検出された場合は（ステップＳ８０５／ＮＯ）、読み取りユニット５０は走行体６１を一旦ＤＦ原稿読み取り位置ａ又はゴミ避け位置ｃに移動させた後、再び、白基準板ｂの位置に移動させてＡＧＣ処理を実行する（ステップＳ８０６）。
【００６６】
ＡＧＣ処理が正常に完了すると（ステップＳ８０６、ステップＳ８０５／ＹＥＳ）、読み取りユニット５０は走行体６１をＤＦ原稿読み取り位置ａ又はゴミ避け位置ｃに移動させ、読み取り動作の実行を待って待機する（ステップＳ８０７）。
【００６７】
本処理によれば、画像形成装置が省エネルギーモードに移行する際に、走行体６１が白基準板ｂの位置において停止されずに読み取りユニット５０の電源がＯＦＦされた場合であっても、ＡＧＣ処理の結果に基づいて異常を検出し、走行体６１の位置を修正し、正しい位置においてＡＧＣ処理を実行することができる。
【図面の簡単な説明】
【００６８】
【図１】本実施形態に係わる画像形成装置の概略図である。
【図２】操作部の概略図である。
【図３】液晶表示部の表示例である。
【図４】メインコントローラを中心とした制御装置の構成を示す図である。
【図５】画象処理ユニット（ＩＰＵ）の構成を示す図である。
【図６】読み取りユニットの概略図である。
【図７】省エネルギーモードへ移行する際の処理の手順を示す図である。
【図８】省エネルギーモードから復帰する際の処理の手順を示す図である。
【符号の説明】
【００６９】
１    ＡＤＦ
２    原稿台
３、４    給送ローラ
５    排送ローラ
６    コンタクトガラス
７    原稿セット検知
８    第１トレイ
９    第２トレイ
１０    第３トレイ
１１    第１給紙ユニット
１２    第２給紙ユニット
１３    第３給紙ユニット
１４    縦搬送ユニット
１５    感光体
１６    搬送ベルト
１７    定着ユニット
１８    排紙ユニット
１９    排紙トレイ
５０    読み取りユニット
５１    露光ランプ
５２    第１ミラー
５３    レンズ
５４    ＣＣＤイメージセンサ
５５    第２ミラー
５６    第３ミラー
５７    書き込みユニット
５８    レーザ出力ユニット
５９    結像レンズ
６０    ミラー
６１    走行体
１１１    両面搬送ユニット
１１２    反転ユニット
１１３    両面入紙搬送路
１１４    反転排紙搬送路
【図１】
2007142759.tif 000003
【図２】
2007142759.tif 000004
【図３】
2007142759.tif 000005
【図４】
2007142759.tif 000006
【図５】
2007142759.tif 000007
【図６】
2007142759.tif 000008
【図７】
2007142759.tif 000009
【図８】
2007142759.tif 000010